(57)【要約】【課題】トイレタリー用品等、収納物の出し入れの邪魔にならず、かつ、見栄えよく、洗面化粧台の洗面キャビネットの内部を照明する照明装置を提供する。【解決手段】ミラーキャビネット６と洗面カウンター５と洗面キャビネット４とからなる洗面化粧台Ａの上記洗面キャビネット４内を照明する装置であって、該照明装置は洗面キャビネット４の内部の上部に取り付けられるとともに、該照明装置の点滅スイッチ３は、上記ミラーキャビネット６に設けられた洗面化粧台Ａの上部を照明する上部照明灯７の点滅スイッチ７１に隣接して設けられた洗面キャビネット４の照明装置。【選択図】図２
2007330561.tif 000002
【特許請求の範囲】
【請求項１】
ミラーキャビネットと洗面カウンターと洗面キャビネットとからなる洗面化粧台の上記洗面キャビネット内を照明する装置であって、該照明装置は洗面キャビネットの内部の上部に取り付けられるとともに、該照明装置の点滅スイッチは、上記ミラーキャビネットに設けられた洗面化粧台の上部を照明する上部照明灯の点滅スイッチに隣接して設けられた洗面キャビネットの照明装置。
【請求項２】
上記照明装置が洗面キャビネットの内部の上部の前横桟または後横桟の少なくとも１つに設けられ、上記照明装置の点滅スイッチはミラーキャビネットに設けられるとともに、洗面カウンター裏面を通して配線される請求項１に記載の洗面キャビネットの照明装置。
【請求項３】
上記照明装置がＬＥＤである請求項１に記載の洗面キャビネットの照明装置。
【発明の詳細な説明】
【技術分野】
【０００１】
本発明は、洗面化粧台の構造に関する。さらに詳しくは、洗面化粧台を構成する洗面キャビネットの内部を照明する照明装置に関する。
【背景技術】
【０００２】
洗面化粧台は、通常、ミラーキャビネットと洗面ボウルを備えた洗面カウンターと洗面キャビネットとからなり、上記洗面キャビネットはトイレタリー用品、その他小物類の収納スペースとして利用されている。しかしながら、内部には光が届きにくく、使い勝手が悪いという問題がある。そこで、下記特許文献１には、洗面化粧台の現場設置時に、洗面化粧台の両側に生じる隙間をあけず、見映えよく納めるために、化粧鏡と化粧台と間口調整用キャビネットと間口調整用鏡とからなる洗面化粧台が提案され、上記間口調整用キャビネットに照明を設けた技術が開示されている。そして、間口調整用キャビネットの左右と下部に照明を設けることによって足元を照らすことができると記載されている。
【特許文献１】特開２００１−３４２号公報（第１〜３頁、第２図）
【発明の開示】
【発明が解決しようとする課題】
【０００３】
しかしながら、上記した従来技術においては、間口調整用キャビネット内の左右と下部に照明が設けられているため、照明効果は得られるものの、照明装置の設置によって収納スペースが狭くなるという問題がある。また、照明装置が、収納物の出し入れの際に当てられ、傷付いたり、破損するというおそれもある。
【０００４】
本発明は、このような問題を解決して、トイレタリー用品等、収納物の出し入れの邪魔にならず、かつ、見栄えよく、洗面化粧台の洗面キャビネットの内部を照明する照明装置を提供することを、その課題とする。
【課題を解決するための手段】
【０００５】
上記課題を解決するため、本発明においては、つぎのような技術的手段を講じている。すなわち、請求項１に記載の発明によれば、ミラーキャビネットと洗面カウンターと洗面キャビネットとからなる洗面化粧台の上記洗面キャビネット内を照明する装置であって、該照明装置は洗面キャビネットの内部の上部に取り付けられるとともに、該照明装置の点滅スイッチは、上記ミラーキャビネットに設けられた洗面化粧台の上部を照明する上部照明灯の点滅スイッチに隣接して設けられた洗面キャビネットの照明装置が提供される。
【０００６】
請求項２に記載の洗面キャビネットの照明装置は、請求項１に記載の発明に加えて、上記照明装置が洗面キャビネットの内部の上部の前横桟または後横桟の少なくとも１つに設けられ、上記照明装置の点滅スイッチはミラーキャビネットに設けられるとともに、洗面カウンター裏面を通して配線されることが好ましい。
【０００７】
請求項３に記載の洗面キャビネットの照明装置は、請求項１に記載の発明に加えて、上記照明装置をＬＥＤとすることが好ましい。
【発明の効果】
【０００８】
請求項１に記載の発明にかかる洗面キャビネットの照明装置は上記のとおりであり、洗面キャビネット内の上部に取り付けられ内部を照明するとともに、該照明装置の点滅スイッチは、上記ミラーキャビネットに設けられた洗面化粧台の上部を照明する上部照明灯の点滅スイッチに隣接して設けられ、スイッチ類はまとめて配置されているため、見栄えよく、かつ、使い勝手よく上部照明灯と洗面キャビネットの照明器具との点滅を行うことができる。
【０００９】
請求項２に記載の洗面キャビネットの照明装置は上記のとおりであり、請求項１の洗面キャビネットの照明装置の有する効果に加え、上記照明装置が洗面キャビネットの内部の上部の前横桟または後横桟のいずれかに設けられるか、あるいは、前横桟と後横桟の両方に設けられるため、通常の上部照明灯だけでは照明不足で使い勝手の悪かった洗面キャビネット内が照明され、便利に使用することが可能となり、種々の小物類の収納を容易に行うことができる。
【００１０】
請求項３に記載の洗面キャビネットの照明装置は上記のとおりであり、請求項１の洗面キャビネットの照明装置の有する効果に加え、上記照明装置をＬＥＤとすることにより、少ない消費電力で十分な明るさが得られるとともに、小型でかさばらないため、洗面キャビネットの内部のスペースを収納空間として有効に利用することができる。
【発明を実施するための最良の形態】
【００１１】
以下、本発明の実施形態について図面を参照して詳細に説明する。図１は本発明の第１実施形態にかかる洗面キャビネットの照明装置を組み込んだ洗面化粧台Ａを示す部分断面側面図である。また、図２は、上記洗面キャビネットの照明装置を組み込んだ洗面化粧台Ａを示す部分破断正面図である。図１、図２に示されているように、上記洗面化粧台Ａは、ミラーキャビネット６と洗面カウンター５と洗面キャビネット４とからなり、該洗面キャビネット４内に上記第１実施形態にかかる洗面キャビネットの照明装置が取り付けられている。
【００１２】
すなわち、洗面キャビネット４の上部に設けられた幕板４３の裏面には上部前横桟４１がビス固定され、この上部前横桟４１に照明器具としての蛍光灯１が取り付けられ、上部後横桟４２にも同様に蛍光灯１が取り付けられている。また、洗面キャビネット４の前面には扉４４が設けられ、通常は閉状態であり、トイレタリー用品等、収納物の出し入れの際のみ開けられる。
【００１３】
上記蛍光灯１の電源線２は一束化して洗面カウンター５の裏面と壁面Ｗとの間を通して配線されるとともに、ミラーキャビネット６の下部に設けられ、外部電源をオン・オフする点滅スイッチ３に接続されている。また、上記点滅スイッチ３はミラーキャビネット６のミラー６１を含む洗面化粧台Ａの上部を照明する上部照明灯７の点滅スイッチ７１に隣接して設けられ、まとめて配置されている。
【００１４】
上記したように、洗面キャビネット４の上部前横桟４１と上部後横桟４２とに蛍光灯１を取り付けることにより、通常の上部照明灯７だけでは照明不足で使い勝手の悪かった洗面キャビネット４を便利に使うことが可能となり、種々の小物類の収納を容易に行うことができる。また、点滅スイッチ３と点滅スイッチ７１とは隣接しているため、使用者は使い勝手よく上部照明灯７と洗面キャビネット４内の照明器具との点滅行うことができる。
【００１５】
図３は、上記蛍光灯１に代えてＬＥＤ１ａを用いた本発明の第２実施形態を示す洗面キャビネットの照明装置を示す部分破断斜視図である。図３に示されているように、第２実施形態においては、洗面キャビネット４の上部後横桟４２に照明器具としてＬＥＤ１ａが取り付けられている。ＬＥＤ１ａは少ない消費電力で十分な明るさが得られるとともに、小型でかさばらないため、洗面キャビネット４の内部のスペースを収納空間として有効に利用することができる。
【００１６】
なお、ＬＥＤ１ａを２灯としてもよく、また、その電源を乾電池とし点滅スイッチ３を介して配線することも可能である。さらに、点滅スイッチ３をメインスイッチとし、洗面キャビネット４の扉４４を開閉する度に、自動的に蛍光灯１またはＬＥＤ１ａをオン・オフする図外リミットスイッチを設けてもよい。このように本発明は種々設計変更可能であり、本発明の特許請求の範囲を逸脱しない限りいずれも本発明の技術的範囲に含まれる。
【図面の簡単な説明】
【００１７】
【図１】本発明の第１実施形態にかかる洗面キャビネットの照明装置を組み込んだ洗面化粧台を示す部分断面側面図である。
【図２】本発明の第１実施形態にかかる洗面キャビネットの照明装置を組み込んだ洗面化粧台を示す部分破断正面図である。
【図３】本発明の第２実施形態にかかる洗面キャビネットの照明装置を組み込んだ洗面化粧台を示す部分破断正面図である。
【符号の説明】
【００１８】
Ａ          洗面化粧台
Ｗ          壁面
１          蛍光灯
１ａ        ＬＥＤ
２          電源線
３          点滅スイッチ
４          洗面キャビネット
４１        上部前横桟
４２        上部後横桟
４３        幕板
４４        扉
５          洗面カウンター
６          ミラーキャビネット
６１        ミラー
７          上部照明灯
７１        点滅スイッチ
【図１】
2007330561.tif 000003
【図２】
2007330561.tif 000004
【図３】
2007330561.tif 000005